(57)【要約】【課題】ディスク状記録媒体を磁気吸着力によって複数収納できるディスク状記録媒体保持具の生産性や商品性を向上させ、併せて使用性の向上も図る。【解決手段】ディスク状記録媒体の中央孔から先端面４ｃが突出して嵌入する保持部７と、ディスク状記録媒体の側面を覆う側壁部５とを備え、側壁部５におけるディスク状記録媒体との対向面の裏側に形成される外面８の中央部及び保持部７の先端面４ｃを強磁性体物品に磁気吸着力により取り付けるディスク状記録媒体保持具１であって、保持部７内には磁石３ａとヨーク部材３ｂとからなる磁石部材３が装着される構成とする。なお、保持部７には１個以上の弾性舌片を設けてディスク状記録媒体が着脱自在となるようにしてもよく、側壁部５には指掛け用切り欠き部を設けても良い。【選択図】図２
2006114118.tif 000002
【特許請求の範囲】
【請求項１】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記磁気吸着力は上記保持部内に装着された磁石部材によって確保することを特徴とするディスク状記録媒体保持具
【請求項２】
上記保持部は、上記側壁部の略中央部に上記磁石部材の外周を覆った状態で立設する側壁部材へ取り付けられる蓋部材で構成されることを特徴とする請求項１に記載のディスク状記録媒体
【請求項３】
上記保持部は上記側壁部を形成する側壁部材の中央部を突出させて一体的に設けられ、該保持部内面に形成された磁石部材収納部の開放面には蓋部材が取り付けられることを特徴とする請求項１に記載のディスク状記録媒体保持具
【請求項４】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記磁気吸着力は上記保持部から表面が露出するように取り付けられた磁石部材によって確保することを特徴とするディスク状記録媒体保持具
【請求項５】
上記保持部の外周部には少なくとも一つの弾性舌片が形成され、該弾性舌片にディスク状記録媒体の中央孔を着脱自在に取り付け可能としたことを特徴とする請求項１に記載のディスク状記録媒体保持具
【請求項６】
上記弾性舌片は、上記請求項２における蓋部材に形成されることを特徴とする請求項５に記載のディスク状記録媒体保持具
【請求項７】
上記弾性舌片は、上記請求項２における蓋部材の周囲から窪ませて設けられた舌片収納部内に位置するように、側壁部材から突出させて形成されることを特徴とする請求項５に記載のディスク状記録媒体保持具
【請求項８】
上記弾性舌片は、上記請求項３における側壁部材の保持部の周囲から窪ませて設けられた舌片収納部へ、その上部に形成された舌片貫通用穴を貫通して位置するように、蓋部材の下面から突出させて形成されることを特徴とする請求項５に記載のディスク状記録媒体保持具
【請求項９】
上記磁石部材は、磁石単独或は強磁性体製のヨーク部材を備えた磁石からなることを特徴とする請求項１〜８のいずれか１項に記載のディスク状記録媒体保持具
【請求項１０】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記側壁部の外周には少なくとも一箇所の指掛け用切り欠き部が形成されていることを特徴とするディスク状記録媒体保持具
【請求項１１】
上記指掛け用切り欠き部は、上記請求項１〜９における側壁部の外周に設けられることを特徴とする請求項１０に記載のディスク状記録媒体保持具
【発明の詳細な説明】
【技術分野】
【０００１】
本発明は、コンパクトディスク（ＣＤ／ｃｏｍｐａｃｔ  ｄｉｓｋ）、ＤＶＤ（ｄｉｇｉｔａｌ  ｖｅｒｓａｔｉｌｅ  ｄｉｓｋ）等のディスク状記録媒体の収納性を良くするディスク状記録媒体保持具に関するものである。
【背景技術】
【０００２】
ディスク状記録媒体であるコンパクトディスクを複数収納する技術として、コンパクトディスクをその中央穴に差し込む保持片によって保持すると共に該保持片の先端面及びコンパクトディスクの側面を覆う側壁部のコンパクトディスクとの対向面の裏側の外面中央部に磁気吸着力を有するコンパクトディスク保持具（以下、ディスク状記録媒体保持具という）を用いることにより、コンパクトディスクの中央穴の軸線方向にコンパクトディスクを収容した複数のディスク状記録媒体保持具を磁気吸着にて連結できることが、本出願人の先の出願による特許公開公報にて開示されている。（特許文献１参照）
【０００３】
なお、この特許公開公報はディスク状記録媒体保持具自体が磁石で構成される実施例の説明が主体であるが、磁石を別部材で覆う構成についても一部説明されていると共に請求の範囲もその構成を包含する内容となっている。
【０００４】
【特許文献１】特開２００３−１０９３４１号公報（４頁６欄９行〜６頁９欄４４行、図１〜図１８）
【発明の開示】
【発明が解決しようとする課題】
【０００５】
しかしながら、特許文献１で説明されている磁石を別部材で覆う構成の実施例は、この別部材がディスク状記録媒体を収容する保護カバー或は収容カバーしか示されておらず、カバー部材を用いないディスク状記録媒体保持具に適用する場合については、技術思想上はその構成も包含されるものの、具体的な構成が示されておらないため実施がしにくいものであった。また、ディスク状記録媒体保持具自体が磁石である場合は、色調等のデザイン的な付加価値等を表現しにくいので、商品性を高めるためにも磁石を別部材で覆うことができる具体的な構成のディスク状記録媒体保持具の開発が望まれていた。
【０００６】
そこで、本発明は磁石を別部材で覆う構成のディスク状記録媒体保持具を提供することを基本とし、さらに使用性を向上させることができる構成も併せて提供することを課題とする。
【課題を解決するための手段】
【０００７】
本発明は、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具において、磁気吸着力は保持部内に装着された磁石部材によって確保するディスク状記録媒体保持具とすることで実現できる。
この構成によれば、磁石がディスク状記録媒体保持具内に収容されるために小型化し、生産コストを減少させることができると共に、ディスク状記録媒体保持具自体を自由な形状にデザインすることができる利点がある。
【０００８】
具体的には、保持部は、側壁部の略中央部に上記磁石部材の外周を覆った状態で立設する側壁部材へ取り付けられる蓋部材で構成することで実施することができる。
【０００９】
また、保持部は側壁部を形成する側壁部材の中央部を突出させて一体的に設けられ、保持部内面に形成された磁石部材収納部の開放面には蓋部材が取り付けられる構成で実施することもできる。
【００１０】
なお、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具において、磁気吸着力は保持部から表面が露出するように取り付けられた磁石部材によって確保する構成としてもよく、この場合は蓋部材を省略することができる利点が生じる。
【００１１】
本発明は、保持部の外周部には少なくとも一つの弾性舌片が形成され、弾性舌片にディスク状記録媒体の中央孔を着脱自在に取り付け可能とする構成にすると、ディスク状記録媒体が保持部に確実に保持される利点が生じる。
【００１２】
この場合の弾性舌片は、側壁部の略中央部に磁石部材の外周を覆った状態で立設する側壁部材へ取り付けられる蓋部材に形成するとよい。
【００１３】
また、弾性舌片は、側壁部の略中央部に磁石部材の外周を覆った状態で立設する側壁部材へ取り付けられて保持部を構成することになる、蓋部材の周囲から窪ませて設けられた舌片収納部内に位置するように、側壁部材から突出させて形成することもできる。
【００１４】
さらに弾性舌片は、側壁部を形成する側壁部材の中央部を突出させて一体的に形成された保持部の周囲から窪ませて設けられた舌片収納部へ、その上部に形成された舌片貫通用穴を貫通して位置するように、側壁部材の保持部の内面に形成される磁石部材収納部の開放面に取り付けられる部材である、蓋部材の下面から突出させて形成することもできる。
【００１５】
なお、本発明における磁石部材は、磁石単独或は強磁性体製のヨーク部材を備えた磁石を使用するとよい。
【００１６】
また、本発明は、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具において、側壁部の外周には少なくとも一箇所の指掛け用切り欠き部が形成されている構成で実施することができる。この構成によれば、ディスク状記録媒体保持具をディスク状記録媒体から取り外しやすくなる利点がある。
【００１７】
なお、この構成は、これまで述べた各種構成のディスク状記録媒体保持具は勿論のことディスク状記録媒体保持具自体が磁石だけでなるもの等にも適用することができる。
【発明の効果】
【００１８】
本発明によれば、ディスク状記録媒体保持具をディスク状記録媒体の中央穴の軸線方向に磁気吸着により連結することができるので、同時にディスク状記録媒体を同数個収納することができる。
特に本発明においては、磁石部材を小型化してディスク状記録媒体保持具の内部に収納或は露出状態で取り付けることができるので、色調や形状や構造を自由に採択でき、商品性を向上させることができる。
【００１９】
また、保持部に弾性舌片を形成すれば、ディスク状記録媒体の保持を確実にすることができる。
【００２０】
さらに、側壁部の外周に指掛け用切り欠き部を設ければ、ディスク状記録媒体に対するディスク状記録媒体保持具の着脱がしやすくなる利点がある。
【発明を実施するための最良の形態】
【００２１】
本発明は、ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具であって、磁気吸着力の確保は保持部に小型の磁石部材を使用することを基本構造としている。従って、ディスク状記録媒体保持具の形状や構造を自由に採択できるので、使用性を向上させることができる。
以下、各種実施例に沿って詳細に説明する。
【実施例１】
【００２２】
図１〜図４は、本発明の実施例１を表わしたものであり、図１の分解斜視図、図２（ａ）の完成状態の斜視図、図２（ｂ）の拡大断面図に示されるように、ディスク状記録媒体保持具１は、側壁部材２、磁石部材３、蓋部材４で構成される。
【００２３】
側壁部材２はＡＢＳ樹脂等の合成樹脂製で、略円盤状に形成される側壁部５の内面６側にはディスク状記録媒体対向面６ａが平面状に形成され外周近傍には面取り部６ｂが設けられている。また、ディスク状記録媒体対向面６ａの略中央部にはディスク状記録媒体の中央穴より若干小さい外径の円筒状の保持部７及びその内面側に凹部７ａが形成され、側壁部５の外面８には、中央部が平面８ａで外周に向かって内面６側に傾く湾曲面８ｂが形成されている。なお、保持部７の内面には後述する蓋部材３を強制嵌合で取り付けるための溝部７ｂが全周に設けられている。
【００２４】
磁石部材３は、外形10.1ｍｍ厚さ1.54ｍｍ程度の磁石３ａと、外形10.1ｍｍ厚さ0.88ｍｍ程度の鉄板等の強磁性体でなるヨーク部材３ｂで構成される。
磁石３ａは、フェライト系焼結磁石、希土類系焼結磁石（ＳｍＣｏ系、ＮｄＦｅＢ系）、フェライト系ボンド磁石、希土類系ボンド磁石（ＳｍＣｏ系、ＳｍＦｅＮ系、ＮｄＦｅＢ系）等が用いられる。形状としては円盤形状の焼結品が吸着力、経済性の面から好ましく、その場合の材料としては例えばＮｄＦｅＢ系焼結磁石を使用したものが挙げられる。
【００２５】
なお、本発明に使用する磁石は、表面及び背面の中心が一致する状態で多数個磁気吸着できるように着磁される。この場合の着磁の方向は、厚み方向に着磁を施すと同様に着磁した同形状の他の磁石に対して中心を合わせて吸着する特性があるので好ましい。
【００２６】
また、磁石３ａにヨーク部材３ｂを重ねて使用した場合は、磁石３ａ単品の磁気吸着力と比較して、磁石３ａの露出側の磁気吸着力が向上しヨーク部材３ｂ露出側の磁気吸着力は減少する特性が生じるので、本実施例においては、側壁部材２の外面８側にヨーク部材３ｂを配置して、蓋部材４側のディスク状記録媒体保持具自体の磁気吸着力を向上させると共に、側壁部材２の外面８側への漏洩磁束を減少させるように使用する。
【００２７】
さらに、この磁石部材はディスク状記録媒体を保持できる所定の磁気吸着力を確保できればよいので、寸法等は適宜に決定してよく、場合によってはヨーク部材３ｂを省略してもよい。
【００２８】
蓋部材４はＡＢＳ樹脂等の合成樹脂製で、先端面４ｃ上に円筒状の外周壁４ａが設けられると共にその内側には磁石部材収納部９が形成されており、外側には上述した側壁部材２の溝部７ｂに強制嵌合する突起部４ｂが円周状に設けられている。
【００２９】
この状態から、蓋部材４の磁石部材収納部９内に磁石部材３である磁石３ａとヨーク部材３ｂを順に収納した状態で、蓋部材４を側壁部材２に形成された保持部７の内側に押し込むと蓋部材４の外周壁４ａに設けられた突起部４ｂが、側壁部材２の保持部７の内面に設けられた溝部７ｂに強制嵌合にて取り付けられるので、ディスク状記録媒体保持具１として完成する。
完成状態では、ディスク状記録媒体保持具１の保持部７の先端側に取り付けられる蓋部材４の先端面４ｃ及び側壁部材２における外面８の中央部の平面８ａは、磁石部材３によって、後述するように強磁性体物品に磁気吸着が可能となっており、複数のディスク状記録媒体保持具も中心を一致させた状態で磁気吸着によって連結できるようになっている。
【００３０】
なお、上述した側壁部材２及び蓋部材４の材料はＡＢＳ樹脂等の合成樹脂に限らず、磁気吸着力的に支障のないことを条件に、適宜な材料で実施することができる。
但し、使用する材料は、ディスク状記録媒体の基板（ポリカーボネート樹脂）や表面印刷面（ハードコート）に対して擦り傷がつきにくいように、表面硬度がそれらより低く、摩擦係数も小さいものが好ましい。
【００３１】
ディスク状記録媒体保持具１のディスク状記録媒体への収納は図３の取り付け説明用斜視図に示すように、ディスク状記録媒体保持具１の保持部７をディスク状記録媒体Ａの中央孔Ｂに差し込んだ状態で強磁性体性の物品に磁気吸着させることにより行われる。ここで云う強磁性体性の物品は、強磁性体製のラック、棚等の強磁性体物品Ｗは勿論のこと、本実施例と同様に作製されたディスク状記録媒体保持具１’も対象となる。従って、図３及び使用状態の図４に表わす拡大部分側面図に示すように、複数のディスク状記録媒体保持具１，１’．．．をディスク状記録媒体Ａの中心穴Ｂの軸線方向へ重ねる方向に磁気吸着で連結することができ、その間に収能されるディスク状記録媒体Ａも複数枚収納できることになる。
なお、ディスク状記録媒体保持具１を複数個重ねて使用した場合には、最初のディスク状記録媒体保持具の強磁性体への磁気吸着力は、ある個数までは向上していきその後ピーク状態で安定していく傾向にあるのでディスク状記録媒体を多数収納しても強度上の問題は生じない。
【００３２】
また、ディスク状記録媒体保持具１を複数個磁気吸着で連結した状態においては、側壁部材２の外面８における平面８ａへ、他のディスク状記録媒体保持具１’における保持部の先端に取り付けられた蓋部材の先端面４ｃが磁気吸着されているが、側壁部材２の外面８には平面８ａから連続して湾曲面８ｂが形成されており、磁気吸着力を保った状態でその間をスムーズに回動させて開くことができるので、ディスク状記録媒体Ａの表示を簡単に見ることができる（想像線の図形参照）。
また、開く操作を止めれば磁気吸着力の作用で自動的に通常の直線状の連結状態に戻ることになる。
【実施例２】
【００３３】
本発明の磁石及びヨーク板の収納構造は各種の形態で実施することができ、以下に別の収納構造である各実施例を順に説明する。
なお、実施例１と共通の内容については説明を割愛する。
【００３４】
図５は、本発明の実施例２を表わしたものであり、図５（ａ）は断面図、図５（ｂ）は部分拡大断面図を示す。この実施例のディスク状記録媒体保持具２１は、側壁部材２２、磁石部材２３、蓋部材２４で構成され、磁石部材収納部２９は、側壁部材２２における側壁部２５の内面２６の略中央に円筒状に立設する蓋部材取り付け壁２６ｃの内面に設けられる。なお、蓋部材取り付け壁２６ｃの外面には、略全周に突起部２６ｄが形成される。
また、蓋部材２４は先端面２４ｃの外周に外周壁２４ａを立設して保持部２７を形成すると共に、その内面には溝部２４ｄが設けられる。
【００３５】
この状態から、側壁部材２２に設けられた磁石部材収納部２９に磁石部材２３のヨーク部材２３ｂ及び磁石２３ａを順に挿入し、次に、側壁部材２２の蓋部材取り付け壁２６ｃの外面に設けられた突起部２６ｄに、蓋部材２４の外周壁２４ａに設けられた溝部２４ｄを強制嵌合させることにより、磁石部材２３が収納された状態でディスク状記録媒体保持具２１が完成する。
本実施例によれば、保持部２７全体が蓋部材２４で継目無く形成できる利点がある。
【実施例３】
【００３６】
図６は、本発明の実施例３を表わしたものであり、図６（ａ）は断面図、図６（ｂ）は部分拡大断面図を示す。この実施例のディスク状記録媒体保持具３１も、側壁部材３２、磁石部材３３、蓋部材３４で構成されるが、磁石部材収納部３９は、蓋部材３４の先端面３４ｃの外周に立設させて保持部３７を形成する外周壁３４ａの内面に設けられる。なお、外周壁３４ａの外周の上部には、突起部３４ｂが設けられる。
また、側壁部材３２における側壁部３５の内面３６の略中央に蓋部材取り付け凹部３６ｃが設けられ、その上部の略全周に溝部３６ｄが形成される。
【００３７】
この状態から、蓋部材３４に設けられた磁石部材収納部３９に磁石部材３３の磁石３３ａ及びヨーク部材３３ｂを順に挿入し、次に、側壁部材３２の側壁部３５に設けられた蓋部材取り付け凹部３６ｃの溝部３６ｄに蓋部材３４の外周壁３４ａに設けられた突起部３４ｂを強制嵌合させることにより、磁石部材３３が収納された状態でディスク状記録媒体保持具３１が完成する。
なお、図中３６ｅは、蓋部材取り付け凹部３６ｃの入り口の全周に設けられる逃げ部で、３４ｄはそこに隙間無く嵌入する突出部となっている。このような構造とすると、蓋部材３４の外周壁３４ａに設けられた突起部３４ｂの強制嵌合がし易いものとなる。
また、本実施例によれば、磁石部材３４の外形を大きくできる利点がある。
【実施例４】
【００３８】
図７は、本発明の実施例４を表わしたものであり、図７（ａ）は断面図、図７（ｂ）は部分拡大断面図を示す。この実施例のディスク状記録媒体保持具４１も前述の各実施例同様に、側壁部材４２、磁石部材４３、蓋部材４４で構成されるが、蓋部材４４の設置位置が異なっている。
【００３９】
即ち、本実施例の側壁部材４２には、側壁部４５の内面４６の略中央に保持部４７が一体的に突出して設けられており、保持部４７の内面側に側壁部４５の外面４８が開放された凹部４７ａが形成されている。そして、凹部４７ａにおける側壁４７ｃの中程の略全周に溝部４７ｂが設けられている。
一方、蓋部材４４の外周近傍には円筒状の外周壁４４ａが立設されており、その外面には突起部４４ｂが設けられ、内面側が磁石部材収納部４９となっている。
なお、蓋部材４４の先端面４４ｃは、これまでの各実施例と異なりディスク状記録媒体保持具４１としての外面の中央部を形成することになる。但し、その詳細な形状については、これまでの各実施例の外面と同様となるので説明を省略する。
【００４０】
この状態から、蓋部材４４に設けられた磁石部材収納部４９に磁石部材４３のヨーク部材４３ｂ及び磁石４３ａを順に挿入し、次に、側壁部材４２における凹部４７ａの側壁４７ｃに設けられた溝部４７ｂに対して、蓋部材４４の外周壁４４ａに設けられた突起部４４ｂを強制嵌合させることにより、磁石部材４３が収納された状態でディスク状記録媒体保持具４１が完成する。
なお、本実施例においても側壁部材４２に逃げ部４６ｅ、蓋部材４４に突出部４４ｄを形成すると、蓋部材４４の側壁部材４２への強制嵌合がし易いものとなる。
また、本実施例によれば、保持部４７が側壁部材４２と一体に形成されるので、精度良く仕上げることができる利点がある。
【実施例５】
【００４１】
これまで説明した各施例においては、磁石部材がディスク状記録媒体保持具内に収納されているが、本発明は磁石部材を露出させた状態で取り付けても当然に実施可能であり、図８を用いてその構成を説明する。
なお、図８（ａ）は実施例５の断面図、図８（ｂ）は実施例５の変形例１の断面図、図８（ｃ）は実施例５の変形例２の断面図、図８（ｄ）は実施例５の変形例３の断面図、図８（ｅ）は実施例５の変形例４の断面図を表わしたものである。
【００４２】
図８（ａ）に示すように、実施例５における側壁部材５２には、側壁部５５における内面５６の略中央に保持部５７が立設されており、その内面に磁石部材収納部５９が形成されている。ここに、磁石部材５３を構成するヨーク部材５３’’及び磁石５３’を順に挿入した状態で接着剤を用いて磁石部材収納部５９内に接着にて取り付ければディスク状記録媒体保持具５１が完成する。
【００４３】
図８（ｂ）は実施例５の変形例１を示したものであり、この場合のディスク状記録媒体保持具５１ｂは、側壁部材５２ｂの内面５６ｂの略中央に磁石部材収納部５９ｂが凹部状に形成され、ここに、磁石部材５３ｂを構成するヨーク部材５３ｂ’’及び磁石５３ｂ’が接着剤にて取り付けられる。なお、保持部５７ｂは、磁石部材５３ｂの外面にて形成される。
【００４４】
図８（ｃ）は実施例５の変形例２を示したものであり、この場合の側壁部材５２ｃには、内面５６ｃの略中央に保持部５７ｃが突出して一体的に形成されており、その内面に磁石部材収納部５９ｃが上部を開放するように設けられる。ここに、磁石部材５３ｃを構成する磁石５３ｃ’及びヨーク部材５３ｃ’’を接着剤にて取り付ければディスク状記録媒体保持具５１ｃが完成する。
【００４５】
なお、この場合に、図８（ｄ）に示す実施例５の変形例３のように、磁石５３ｄ’をコ字状に覆うヨーク部材５３ｄ’’で構成される磁石部材５３ｄを用いて、側壁部材５２ｄの磁石部材収納部５９ｄに接着で取り付けるディスク状記録媒体保持具５１ｄに仕上げても良い。
【００４６】
さらに、図８（ｅ）に示す実施例５の変形例４のように、磁気吸着力に問題が無ければ、磁石部材５３ｅはヨーク部材を用いないで磁石５３ｅ’を単独で使用し、接着にて取り付けることによりディスク状記録媒体保持具５１ｅに仕上げるようにしても良い。
【実施例６】
【００４７】
これまで説明した各実施例及び各変形例においては、ディスク状記録媒体をディスク状記録媒体保持具に収納する構成を、ディスク状記録媒体の中央孔をディスク状記録媒体保持具の保持部に差し込むことで、ディスク状記録媒体を遊嵌合状態で保持するものであったが、ディスク状記録媒体をディスク状記録媒体保持具の保持部に着脱自在に取り付ける構成で実施することもできる。
以下に具体的構成について説明していくが、これまでと共通する部分については説明を割愛する。
【００４８】
図９〜図１０は、本発明の実施例６を表わし、図９（ａ）は分解斜視図、図９（ｂ）は完成状態の斜視図、図９（ｃ）は部分断面拡大底面図、図９（ｄ）は図９（ｃ）の縦中央断面図、図１０（ａ）はディスク状記録媒体の取り付け手順を示す部分拡大断面図、図１０（ｂ）はディスク状記録媒体取り付け状態の縮小底面図を示す。
【００４９】
図９（ａ）〜図９（ｄ）に示すように、この実施例のディスク状記録媒体保持具６１も、側壁部材６２、磁石部材６３、蓋部材６４で構成される。
蓋部材６４は、外周を立ち上げて保持部６７が設けられ、その外周面には３箇所の凹部で形成される舌片収納部６７ｅ，６７ｅ，６７ｅが設けられており、そこへ上部に突部６７ｄ，６７ｄ，６７ｄを備えた弾性舌片６７ｃ，６７ｃ，６７ｃが、空間部分６７ｆ，６７ｆ，６７ｆを介して先端面６４ｃ側を開放するように各舌片収納部６７ｅの下端から、図９（ｄ）に示すように若干浮かした位置から一体的に立ち上げる形体で設けられている。
なお、各弾性舌片６７ｃ，６７ｃ，６７ｃ間で形成される突部６７ｄ，６７ｄ，６７ｄの外径はディスク状記録媒体の中央孔より大きくなっており、その根元の径はディスク状記録媒体の中央孔と同等か若干小さく形成される。
また、蓋部材６４の各舌片収納部６７ｅ，６７ｅ，６７ｅの内面には磁石部材収納部６９が形成される。
【００５０】
一方、側壁部材６２における側壁部６５の内面６６の中央部には、蓋部材６４の下端部が嵌合する凹部６２ａが設けられ、そこにガイド片６２ｂ，６２ｂ，６２ｂが立設されている。このガイド片６２ｂ，６２ｂ，６２ｂは蓋部材６４の円周方向の位置決めをするためのものであり、図９（ｃ）に示すように外面は蓋部材６４の保持部６７の内面に沿うようになっており、また、各ガイド片６２ｂの間の切り欠き６２ｃ，６２ｃ，６２ｃは蓋部材６４の弾性舌片６７ｃ，６７ｃ，６７ｃの根元が嵌入する寸法に形成されている。
なお、各ガイド片６２ｂ，６２ｂ，６２ｂの内側にも蓋部材６４と同様の磁石部材収納部６９’が形成される。
また、この実施例においては、蓋部材６４の舌片収納部６７ｅにおける弾性舌片６７ｃと円周方向に対向する面が切り欠かれているが、この面を封じる形体としても良く、その場合には封じた内面と嵌合するように側壁部材６２のガイド片６２ｂ，６２ｂ，６２ｂ間の切り欠き寸法を定めればよい。
さらに側壁部材６２の側壁部６５の外周部には円弧状の切り欠き６５ａがあるが、これはディスク状記録媒体を装着した際に着脱し易くするための指掛け用切り欠き部である。
【００５１】
この状態から、磁石部材６３を構成する磁石６３ａ及びヨーク部材６３ｂを蓋部材６４の内面に設けられた磁石部材収納部６９へ順に挿入するか側壁部材６２に設けられた磁石部材収納部６９’に逆の順で挿入する。次いで、蓋部材６４を側壁部材６２のガイド片６２ｂ，６２ｂ，６２ｂに沿って差し込んだ状態で側壁部材６２と接着剤にて固定することにより、図９（ｂ）に示すようなディスク状記録媒体保持具６１が完成する。
なお、蓋部材６４と側壁部材６２の固定構造は、接着剤に限らず、超音波接着や先の各実施例に示した強制嵌合等適宜な手段で実施してよい。
【００５２】
本実施例のディスク状記録媒体保持具６１にディスク状記録媒体を取り付ける手順は、図１０（ａ）のように実線で示すディスク状記録媒体Ａの中央孔Ｂを保持部６７に近接した状態から矢印方向に差し込むことで実行される（取り付け状態は想像線の図形参照）。この時、保持部６７に形成された弾性舌片６７ｃは空間部６７ｆ及び下部が浮いた状態になっていることにより変位がしやすくなっており、ディスク状記録媒体Ａの中央孔Ｂは弾性舌片６７ｃの先端の突部６７ｄが押し下げられたのち元に戻る時に生じるクリック感触を得ながら通過できるし、反対に、通過した状態から逆の方向に引っ張れば弾性舌片６７ｃの先端の突部６７ｄが押し下げられことにより外すことができる。従って、ディスク状記録媒体はディスク状記録媒体保持具６１の保持部６７に着脱自在に取り付けることができる。
なお、本実施例における弾性舌片６７ｃは３箇所設けられており、図１０（ｂ）に示すように、ディスク状記録媒体保持具６１の保持部６７の中心と略一致する状態でディスク状記録媒体が取り付けられる。
【実施例７】
【００５３】
図１１は本発明の実施例７を表わし、図１１（ａ）の分解斜視図、図１１（ｂ）の完成状態の斜視図、図１１（ｃ）の中央拡大断面図に示されるように、実施例６における弾性舌片の設置構造を変更したことを特徴としている。
即ち本実施例におけるディスク状記録媒体保持具７１も、側壁部材７２、磁石部材７３、蓋部材７４で構成されるが、弾性舌片７２ｄは側壁部材７２に直接形成される。
【００５４】
具体的に説明すると、蓋部材７４には外周を立ち上げて保持部７７が設けられ、その外周面には３箇所の凹部で形成される舌片収納部７７ｅ，７７ｅ，７７ｅが設けられており、保持部７７の内面には舌片収納部を避けた３つの面に図１１（ｃ）に表わされる溝部７７ｂが設けられている。また、舌片収納部７７ｅ，７７ｅ，７７ｅの内面側に磁石部材収納部７９’が形成される。
一方、側壁部材７２における側壁部７５の内面７６の中央部には、突部７２ａを有する蓋部材取り付け片７２ｂ，７２ｂ，７２ｂが立設されており、その内側に磁石部材収納部７９が形成される。
また、各蓋部材取り付け片７２ｂの中間に上記蓋部材７４の舌片収納部７７ｅ内に位置する突部７２ｃを有した弾性舌片７２ｄ，７２ｄ，７２ｄが立設される。
なお、側壁部材７２の側壁部７５の外周部には指掛け用切り欠き部７５ａ，７５ａが設けられている。
【００５５】
この状態から、磁石部材７３を構成するヨーク部材７３ｂ及び磁石部材７３ａを側壁部材７２に設けられた磁石部材収納部７９へ順に挿入し、次いで、蓋部材７４の溝部７７ｂを側壁部材７２の蓋部材取り付け片７２ｂに形成された突部７２ａに強制嵌合させることにより、側壁部材７２と蓋部材７４とは磁石部材７３が収納された状態で図１１（ｂ）及び図１１（ｃ）に示すようなディスク状記録媒体保持具７１に仕上がる。
この時、側壁部材７２の弾性舌片７２ｄ，７２ｄ，７２ｄは、蓋部材７４の舌片収納部７７ｅ，７７ｅ，７７ｅの各中央部に隙間をもって立設することになるので変位は容易であり、ディスク状記録媒体の着脱を自由にできることになる。
【実施例８】
【００５６】
図１２は本発明の実施例８を表わし、図１２（ａ）の分解斜視図、図１２（ｂ）の完成状態の斜視図、図１２（ｃ）の中央拡大断面図に示されるように、この実施例も実施例６における弾性舌片の設置構造を変更したことを特徴としている。
即ち本実施例におけるディスク状記録媒体保持具８１も、側壁部材８２、磁石部材８３、蓋部材８４で構成されるが、弾性舌片８４ｇは蓋部材８４に形成される。
【００５７】
具体的に説明すると、側壁部材８２における側壁部８５の内面８６の略中央には保持部８７が一体的に突出して形成され、その外周面には３箇所の凹部で形成される舌片収納部８７ｅ，８７ｅ，８７ｅが設けられており、保持部８７の内面には収納部を避けた３つの面に図１２（ｃ）に表わされる溝部８７ｂが設けられている。なお、保持部８７の内面側には外面側が開放された磁石部材収納部８９が形成される。また、各舌片収納部８７ｅにおける上方の側壁部８５の内面８６を形成する部分には、後述する蓋部材８４の弾性舌片８４ｇが挿通可能な貫通穴８７ｈが設けられる。
一方、蓋部材８４の内面の中央部には、突部８４ｄを有する側壁部材取り付け片８４ｅ，８４ｅ，８４ｅが立設されており、各側壁部材取り付け片８４ｅの中間に上記側壁部材８２の舌片収納部８７ｅ内に配置される突部８４ｆを有する弾性舌片８４ｇ，８４ｇ，８４ｇが立設される。
【００５８】
この状態から、磁石部材８３を構成する磁石部材８３ａ及びヨーク部材８３ｂを側壁部材８２に設けられた磁石部材収納部８９へ順に挿入し、次いで、蓋部材８４の側壁部材取り付け片８４ｅの突部８４ｄを側壁部材８２の保持部８７の内面に形成した溝部８７ｂに強制嵌合させることにより、側壁部材８２と蓋部材８４とは磁石部材８３が収納された状態で図１２（ｂ）及び図１２（ｃ）に示すようなディスク状記録媒体保持具８１に仕上がる。
この時、蓋部材８４の弾性舌片８４ｇ，８４ｇ，８４ｇは、側壁部材８２の舌片収納部８７ｅ，８７ｅ，８７ｅの各中央部に隙間をもって立設することになるので変位は容易であり、ディスク状記録媒体の着脱を自由に行うことができる。
【実施例９】
【００５９】
本発明においては、上述した実施例６〜実施例７に示した弾性舌片及び指掛け用切り欠き部の数や位置及び形状は、これらの実施例に限らず各種に変形して実施することができるものであり、代表的な形態について説明する。
図１３（ａ）は本発明の実施例９を表わす底面図であり、このディスク状記録媒体保持具９１の弾性舌片９２及び指掛け用切り欠き部９３は各々３箇所を同一角度方向とし、円周上均等に設けたものである。
以下、図１３（ｂ）〜図１３（ｇ）は他の変形を、実施例９の変形例として示したものであり、図１３（ｂ）に示す変形例１では、実施例９における指掛け用切り欠き部の形状を直線状の９３ｂに形成している。
また、図１３（ｃ）に示す変形例２では、弾性舌片９２ｃを４箇所とし指掛け用切り欠き部９３ｃを２箇所設けている。
また、図１３（ｄ）に示す変形例３では、弾性舌片９２ｄを２箇所とし指掛け用切り欠き部９３ｄを２箇所設けている。
また、図１３（ｅ）に示す変形例４では、弾性舌片９２ｅ及び指掛け用切り欠き部９３ｅを各々１箇としている。
【実施例１０】
【００６０】
指掛け用切り欠き部は、弾性舌片をもたない本発明の実施例１〜実施例５で説明したディスク状記録媒体保持具に設けてもディスク状記録媒体の着脱操作を向上させることができる。
図１４は本発明の実施例１０を表わしたものであり、図１４（ａ）は実施例１のディスク状記録媒体保持具における側壁部１０５ａの１箇所に指掛け用切り欠き部１０３ａを設けたディスク状記録媒体保持具１０１ａの斜視図を示し、図１４（ｂ）は実施例１のディスク状記録媒体保持具における側壁部１０５ｂの２箇所に指掛け用切り欠き部１０３ｂ、１０３ｂを設けたディスク状記録媒体保持具１０１ｂの斜視図を示す。
なお、この形態は、実施例２〜実施例５で説明したディスク状記録媒体保持具に応用することができると共に、実施例９及びその変形例で示したように各種変形して実施することができる。
【実施例１１】
【００６１】
指掛け用切り欠き部は、図１５（ａ）の斜視図及び図１５（ｂ）の中央断面図に示す本発明の実施例１１であるディスク状記録媒体保持具１１１に用いることもできる。
即ち、ディスク状記録媒体保持具１１１は、全体がマグネット製になっており、この側壁部１１５に、指掛け用切り欠き部１１３が設けられたものである。なお、図中の１１７は、これまで説明した各実施例と同様にディスク状記録媒体の中央穴が嵌入して保持される保持片である。
このように、指掛け用切り欠き部は、保持片及び側壁部を有し、かつ、保持片の先端面及び側壁部の中央の外面が磁気吸着力を有するディスク状記録媒体保持具１１１であれば用いることができる。
【００６２】
本発明は、これまで説明した各実施例及び変形例に限らず各種に変形して実施することができる。
例えば、実施例１〜実施例４、実施例７、実施例８における側壁部材と蓋部材の結合を強制嵌合以外の接着剤や超音波による接着構造としても良いし、実施例１〜実施例８における各ディスク状記録媒体保持具は、磁石部材をインサート成形した一体成形品に仕上げても同様な効果を奏することができる。
【産業上の利用可能性】
【００６３】
本発明は、穴付きの板状で磁気障害を生じないものであれば、各種用途の物品の収納具として応用することができる。
【図面の簡単な説明】
【００６４】
【図１】本発明の実施例１の分解斜視図を示す。
【図２】本発明の実施例１を説明したものであり、（ａ）は完成状態の斜視図、（ｂ）は拡大断面図を示す。
【図３】本発明の実施例１における取り付け説明用斜視図を示す。
【図４】本発明の実施例１における使用状態の拡大部分側面図を示す。
【図５】本発明の実施例２を表わし、（ａ）は断面図、（ｂ）は部分拡大断面図を示す。
【図６】本発明の実施例３を表わし、（ａ）は断面図、（ｂ）は部分拡大断面図を示す。
【図７】本発明の実施例４を表わし、（ａ）は断面図、（ｂ）は部拡大断面図を示す。
【図８】本発明の実施例５及びその変形例の断面図を表わし、（ａ）は実施例５、（ｂ）は実施例５の変形例１、（ｃ）は実施例５の変形例２、（ｄ）は実施例５の変形例３、（ｅ）は実施例５の変形例４を示す。
【図９】本発明の実施例６を表わし、（ａ）は分解斜視図、（ｂ）は完成状態の斜視図、（ｃ）は部分断面拡大底面図、（ｄ）は（ｃ）の縦中央断面図を示す。
【図１０】本発明の実施例６の説明図を表わし、（ａ）はディスク状記録媒体の取り付け手順を示す部分拡大断面図、（ｂ）はディスク状記録媒体取り付け状態の底面図を示す。
【図１１】本発明の実施例７を表わし、（ａ）は分解斜視図、（ｂ）は完成状態の斜視図、（ｃ）は中央拡大断面図を示す。
【図１２】本発明の実施例８を表わし、（ａ）は分解斜視図、（ｂ）は完成状態の斜視図、（ｃ）は中央拡大断面図を示す。
【図１３】本発明の実施例９及びその変形例の底面図を表わし、（ａ）は実施例９、（ｂ）は変形例１、（ｃ）は変形例２、（ｄ）は変形例３、（ｅ）は変形例４を示す。
【図１４】本発明の実施例１０の斜視図を表わし、（ａ）は指掛け用切り欠き部が１箇所、（ｂ）は指掛け用切り欠き部が２箇所の状態を示す。
【図１５】本発明の実施例１１を表わし、（ａ）は斜視図、（ｂ）は中央断面図を示す。
【符号の説明】
【００６５】
Ａ  ディスク状記録媒体
Ｂ  中央孔
Ｗ  強磁性体物品
１、１’、２１、３１、４１、５１、５１ｂ、５１ｃ、５１ｄ、５１ｅ、６１、７１、８１、９１、１０１ａ、１０１ｂ、１１１  ディスク状記録媒体保持具
２、２２、３２、４２、５２、５２ｂ、５２ｃ、５２ｄ、６２、７２、８２  側面部材
３、２３、３３、４３、５３、５３ｂ、５３ｃ、５３ｄ、５３ｅ、６３、７３、８３  磁石部材
３ａ、２３ａ、３３ａ、４３ａ、５３’、５３ｂ’、５３ｃ’、５３ｄ’、５３ｅ’、６３ａ、７３ａ、８３ａ  磁石
３ｂ、２３ｂ、３３ｂ、４３ｂ、５３’’、５３ｂ’’、５３ｃ’’、５３ｄ’’、６３ｂ、７３ｂ、８３ｂ  ヨーク部材
４、２４、３４、４４、６４、７４、８４  蓋部材
４ａ、２４ａ、３４ａ、４４ａ  外周壁
４ｂ、３４ｂ、４４ｂ  突起部
４ｃ、４ｃ’、２４ｃ、３４ｃ、４４ｃ、６４ｃ  先端面
５、２５、３５、４５、５５、６５、７５、８５、１０５ａ、１０５ｂ、１１５  側壁部
６、２６、３６、４６、５６、５６ｂ、５６ｃ、６６、７６、８６  内面
６ａ  ディスク状記録媒体対向面
６ｂ  面取り部
７、２７、３７、４７、５７、５７ｂ、５７ｃ、６７、７７、８７、１１７  保持部
７ａ、４７ａ  凹部
７ｂ、４７ｂ、７７ｂ、８７ｂ  溝部
８、４８  外面
８ａ  平面
８ｂ  湾曲面
９、２９、３９、４９、５９、５９ｂ、５９ｃ、６９、７９、７９’、８９  磁石部材収納部
３９ａ  切り込み
２４ｄ  溝部
２６ｃ  蓋部材取り付け壁
２６ｄ  突起部
３４ｄ、４４ｄ  突出部
３６ｃ  蓋部材取り付け凹部
３６ｄ  溝部
３６ｅ、４６ｅ  逃げ部
４７ｃ  側壁
６２ａ  凹部
６２ｂ  ガイド片
６２ｃ  切り欠き
６５ａ、７５ａ、９３、９３ｂ、９３ｃ、９３ｄ、９３ｅ、１０３ａ、１０３ｂ、１１３  指掛け用切り欠き部
６７ｃ、７２ｄ、８４ｇ、９２、９２ｃ、９２ｄ、９２ｅ  弾性舌片
６７ｄ、７２ｃ、８４ｆ  突部
６７ｅ、７７ｅ、８７ｅ  舌片収納部
６７ｆ  空間部分
７２ａ  突部
７２ｂ  蓋部材取り付け片
８２ａ  溝部
８４ｄ  突部
８４ｅ  壁部材取り付け片
８７ｈ  貫通孔
【図１】
2006114118.tif 000003
【図２】
2006114118.tif 000004
【図３】
2006114118.tif 000005
【図４】
2006114118.tif 000006
【図５】
2006114118.tif 000007
【図６】
2006114118.tif 000008
【図７】
2006114118.tif 000009
【図８】
2006114118.tif 000010
【図９】
2006114118.tif 000011
【図１０】
2006114118.tif 000012
【図１１】
2006114118.tif 000013
【図１２】
2006114118.tif 000014
【図１３】
2006114118.tif 000015
【図１４】
2006114118.tif 000016
【図１５】
2006114118.tif 000017